(57)【要約】【課題】複数波長の光を容易な構成且つ低損失で合波させることの出来る光合波装置を提供する。【解決手段】光合波装置は、２以上の所定数の波長のレーザーダイオードからの光を各々入射させる入射口Ｅ１〜Ｅ４と、所定数の入射口から入射された光を出射させる単一の出射口Ａ１と、入射された光を各々導く所定数の光導波路Ｇ１〜Ｇ４と、光導波路Ｇ１〜Ｇ４と接続されて入射された光を出射口Ａ１に導く光導波路Ｇｓと、を備え、光導波路Ｇ１〜Ｇ４は、それぞれ、入射された光を反射する折曲部を有する折線状に設けられ、光導波路Ｇｓは、折線状又は直線状に設けられ、光導波路Ｇｓと光導波路Ｇ１〜Ｇ４の各々との接続部分において光導波路Ｇ１〜Ｇ４が光導波路Ｇｓの延在方向から所定の角度範囲内でそれぞれ接続されることで、所定数の入射口から入射された光を合波する。【選択図】図２
2020154335.tif 000002
【特許請求の範囲】
【請求項１】
２以上の所定数の波長の光を各々入射させる入射口と、
前記所定数の入射口から入射された光を出射させる単一の出射口と、
前記入射された光を前記出射口に導く光導波路と、
を備え、
前記光導波路は、一端が前記入射口であり、前記入射された光を各々個別に導く前記所定数の個別導波路と、当該個別導波路の前記一端とは反対の他端の各々と接続されて前記個別導波路によりそれぞれ導かれた光を前記出射口に導く単一の合流導波路とからなり、
前記所定数の個別導波路は、それぞれ、入射された光を反射する折曲部を有する折線状に設けられ、
前記合流導波路は、前記折線状又は直線状に設けられ、当該合流導波路と前記個別導波路の各々との接続部分において前記所定数の個別導波路が前記合流導波路の延在方向から所定の角度範囲内でそれぞれ接続されることで、前記所定数の入射口から入射された光を合波する
ことを特徴とする光合波装置。
【請求項２】
前記所定数の入射口は、前記出射口が設けられた出射面と直交する方向について少なくとも２箇所の異なる位置に設けられていることを特徴とする請求項１記載の光合波装置。
【請求項３】
前記折曲部は、前記所定数の個別導波路の各々について一つずつ設けられ、
前記合流導波路は、直線状に設けられている
ことを特徴とする請求項１又は２記載の光合波装置。
【請求項４】
前記折曲部のうち少なくとも一つの側面は、当該折曲部よりも前記出射口の側における前記光導波路の前記折曲部からの延在方向に直交する面内における少なくとも所定の一軸方向について、前記側面に入射した光の拡散を抑制するように反射する形状を有することを特徴とする請求項１〜３の何れか一項に記載の光合波装置。
【請求項５】
前記折曲部のうち少なくとも一つの側面は、当該折曲部よりも前記出射口の側における前記光導波路の前記折曲部からの延在方向及び少なくとも前記所定の一軸方向を含む面内において曲率を有する凹面をなすことを特徴とする請求項４記載の光合波装置。
【請求項６】
前記折曲部のうち少なくとも一つの側面は、少なくとも前記所定の一軸方向について、予め定められた発散角で前記側面に入射した光を前記折曲部よりも前記出射口の側における前記光導波路の前記折曲部からの延在方向に沿った方向に反射することを特徴とする請求項４又は５記載の光合波装置。
【請求項７】
前記折曲部の側面には、入射した光を反射させる鏡面部材が設けられていることを特徴とする請求項１〜６の何れか一項に記載の光合波装置。
【請求項８】
前記個別導波路のそれぞれにおいて前記入射口から当該入射口に最も近い側の前記折曲部までの上流導波路は、所定の前記上流導波路に対して各々平行又は垂直に設けられていることを特徴とする請求項１〜７の何れか一項に記載の光合波装置。
【請求項９】
前記光導波路は、単一平面上に設けられていることを特徴とする請求項１〜８の何れか一項に記載の光合波装置。
【請求項１０】
前記折曲部は、前記所定数の個別導波路の各々について一つずつ設けられ、
前記合流導波路は、直線状に設けられ、
前記所定数の個別導波路のそれぞれにおいて前記折曲部から前記接続部分までの下流導波路は、各々前記合流導波路の延在方向に対して所定の角度差ずつ異なる角度で当該合流導波路に接続されている
ことを特徴とする請求項９記載の光合波装置。 
【発明の詳細な説明】
【技術分野】
【０００１】
この発明は、複数波長の光を合波する光合波装置に関する。
【背景技術】
【０００２】
従来、ＲＧＢ各色のレーザー光を出射してカラー画像を表示させるプロジェクタ装置や、可視光と赤外光（ＩＲ光）とを用いてセンシングを行う診断装置といった複数波長のレーザー光を用いる種々の装置がある。これらの装置では、通常、複数波長のレーザー光は、各々の波長の光を発生させるレーザー光源から別個に出射され、光合波装置（合波器）を用いて合波されて一本のビームとして出力される。
【０００３】
合波器としては、例えば、光の入出力に光導波路（導光路）を用い、入射光に各々対応する波長の光のみを反射して他の波長の光を通過させる複数のフィルタ（ダイクロイックフィルタ）を出力射線上に配置し、各ダイクロイックフィルタに対し、各々対応する波長の光を入射させるものが知られている（例えば、特許文献１、２）。
【先行技術文献】
【特許文献】
【０００４】
【特許文献１】特開２００７−１６４１０９号公報
【特許文献２】特開２００６−００３６７３号公報
【発明の概要】
【発明が解決しようとする課題】
【０００５】
しかしながら、上述のようなフィルタを用いると、フィルタを透過する際のエネルギー損失が無視出来ない。また、所望の波長の光の反射率と他の波長の光の透過率とを両立させるためにフィルタのサイズやコストが上昇したりするという課題がある。
【０００６】
この発明の目的は、容易な構成且つ低損失で複数波長の光を合波することの出来る光合波装置を提供することにある。
【課題を解決するための手段】
【０００７】
上記目的を達成するため、本発明の光合波装置は、
２以上の所定数の波長の光を各々入射させる入射口と、
前記所定数の入射口から入射された光を出射させる単一の出射口と、
前記入射された光を前記出射口に導く光導波路と、
を備え、
前記光導波路は、一端が前記入射口であり、前記入射された光を各々個別に導く前記所定数の個別導波路と、当該個別導波路の前記一端とは反対の他端の各々と接続されて前記個別導波路によりそれぞれ導かれた光を前記出射口に導く単一の合流導波路とからなり、
前記所定数の個別導波路は、それぞれ、入射された光を反射する折曲部を有する折線状に設けられ、
前記合流導波路は、前記折線状又は直線状に設けられ、当該合流導波路と前記個別導波路の各々との接続部分において前記所定数の個別導波路が前記合流導波路の延在方向から所定の角度範囲内でそれぞれ接続されることで、前記所定数の入射口から入射された光を合波する
ことを特徴とする光合波装置である。
【発明の効果】
【０００８】
本発明に従うと、複数波長の光を容易な構成且つ低損失で合波させることが出来るという効果がある。
【図面の簡単な説明】
【０００９】
【図１】合波器の外観を示す斜視図である。
【図２】光導波路の構成を示す模式図である。
【図３】光導波路内の反射面について説明する図である。
【図４】合波器の変形例を示す斜視図である。
【図５】光導波路の構成の変形例を示す模式図である。
【図６】光導波路の構成の変形例を示す模式図である。
【発明を実施するための形態】
【００１０】
以下、本発明の実施の形態を図面に基づいて説明する。
図１は、本発明の光合波装置の実施形態である合波器１の全体構成を示す外観図である。
【００１１】
合波器１は、特には限られないが、直方体形状を有する筐体構造をなし、長辺に沿った側面（ここでは、一のＹＺ面内平面；入射面Ｅ）に複数（２以上の所定数）、ここでは４つの入射口Ｅ１〜Ｅ４が一の直線上に設けられ、短辺に沿った側面（ＸＺ面内）であって、入射面Ｅと直交する面（出射面Ａ）に単一の出射口Ａ１が設けられている。即ち、入射口Ｅ１〜Ｅ４は、各々出射面Ａからの当該出射面Ａに直交する方向（Ｙ軸に沿った方向）について互いに異なる（少なくとも２箇所の異なる）位置に設けられている。筐体構造の長辺の長さ（Ｙ軸方向に沿った長さ）は、各入射口Ｅ１〜Ｅ４から入射されるレーザー光の光源（レーザー光源）、ここでは、レーザーダイオード（ＬＤ）のサイズに応じて４つのレーザー光源（ＬＤ）が配列可能な間隔に定められる。
【００１２】
図２は、本実施形態の合波器１の内部における光導波路を説明する模式図である。この模式図で示された平面は、図１の合波器１において、各入射口Ｅ１〜Ｅ４及び出射口Ａ１を含み、高さ（Ｚ軸）方向に対して直交する面（ＸＹ面）で切断した面である。ここでは、説明上光導波路の配置の特徴を誇張して示している。
【００１３】
入射口Ｅ１〜Ｅ４は、各々別個の４本の光導波路Ｇ１〜Ｇ４（個別導波路）の一端をなしており、これら複数の光導波路Ｇ１〜Ｇ４は、出射口Ａ１の手前の位置で光導波路Ｇｓ（合流導波路）の一端付近にて合流する（接続される）ように設けられている。光導波路Ｇｓは、上述の一端付近が広く、途中までＸ軸に沿った方向（Ｘ方向）についてテーパー状に断面サイズが縮小する直線状に設けられ、当該一端とは反対側の他端が出射口Ａ１となっている。光導波路Ｇ１〜Ｇ４は、入射口Ｅ１〜Ｅ４からＸ方向に光導波路Ｇ１１、Ｇ２１、Ｇ３１、Ｇ４１（上流導波路）として各々異なる距離直進した後、ほぼＹ軸に沿った方向（Ｙ方向）に一度折れ曲がり、光導波路Ｇｓの延在方向、即ち、出射面Ａの法線方向に対して所定の角度範囲内で光導波路Ｇ１２、Ｇ２２、Ｇ３２、Ｇ４２（下流導波路）として光導波路Ｇｓの一端付近に接続される折線状となっている。
【００１４】
光導波路としては、光（ここでは、単一横モード（Single Transverse Mode；ＳＴＭ））を低損失で伝送可能であれば特に限られず、例えば、中空導光路や媒質としてガラス材（シリコン）が用いられたＰＬＣ（Planar Lightwave Circuit）などが挙げられる。このような構造は、例えば、シリコン基板上に周知の半導体製造プロセスを用いて形成され得る。特に、入射口Ｅ１〜Ｅ４及び出射口Ａ１が単一平面上に設けられることで、光導波路Ｇ１〜Ｇ４、Ｇｓを全て単一層上に形成することが出来る。
【００１５】
光導波路Ｇ１〜Ｇ４に各々１つずつ設けられた折曲部Ｇ１ｒ〜Ｇ４ｒは、入射口Ｅ１〜Ｅ４から入射されたレーザー光が各々反射面Ｒ１〜Ｒ４で出射口Ａ１の方向へ全反射されるように構成されている。ここでは、反射面Ｒ１〜Ｒ４には、例えば、アルミニウムの薄膜などが鏡面部材として設けられている。各入射口Ｅ１〜Ｅ４に入射されるレーザー光の波長及びその順番は、特には限られず、例えば、ＲＧＢ３色と近赤外線（ＮＩＲ）が用いられる。
【００１６】
反射面Ｒ１〜Ｒ４における反射角（反射面Ｒ１〜Ｒ４の法線と反射光のなす角度）は、出射口Ａ１から反射面Ｒ１〜Ｒ４までの距離が小さいほど大きくなるように、即ち、出射面Ａに対する入射角度（出射面Ａの法線と入射光のなす角度）が僅かずつ大きくなるように定められている。光導波路Ｇ１〜Ｇ４の太さ（断面のサイズ）は、Ｙ軸方向への長さと比較して十分に小さく、反射面Ｒ１〜Ｒ４における反射角の違いは、例えば、０．２５〜１．０度程度の微小角度（所定の角度差）に定められる。従って、光導波路Ｇ１２〜Ｇ４２は、光導波路Ｇｓとの接続部分において、当該光導波路Ｇｓの延在方向、即ち、出射面Ａの法線方向に対して０．７５〜３．０度程度（所定）の角度範囲内で互いに異なる向きとなる。このような配置により、光導波路Ｇ１〜Ｇ４に入射された各波長のレーザー光は、互いに平行に近い角度で光導波路Ｇｓに導かれることで、当該光導波路Ｇｓで合波されて、出射口Ａ１から出射される。
【００１７】
図３は、光導波路内の反射面について説明する図である。ここでは、反射面Ｒ１を例に挙げて説明するが、他の反射面Ｒ２〜Ｒ４も同様の構造とすることが出来る。
【００１８】
光導波路Ｇ１の折曲部Ｇ１ｒにおいて、反射面Ｒ１は、少なくとも所定の一軸方向への発散を抑制するように、ここでは、図面に平行な面（ＸＹ面）内、即ち、上述の一軸方向（ほぼＸ方向）と光導波路Ｇ１２の延在方向（ほぼＹ方向）とを含む面内で僅かに凹面形状を有している。レーザー光は、通常、入射口Ｅ１に入射しないことによる損失を防ぐために結合レンズにより集光されて入射口Ｅ１に導入される。この入射光は、発散しながら反射面Ｒ１に導かれるので、反射面Ｒ１は、反射光の当該発散を抑制し、特に、予め定められた発散角で反射面Ｒ１に入射する光の反射光を直接光導波路Ｇｓ、更には出射口Ａ１に向かう略平行光とすることで光導波路Ｇ１の側面における反射回数を低減させ、理想的には、ゼロとする。これにより、レーザー光の伝送に係る損失をより低減させることが出来る。ここでは、例えば、レーザー光源からの入射光の遅軸（slow axis）方向をＹ軸方向に一致させることで、当該遅軸方向には光導波路Ｇ１におけるレーザー光の反射を反射面Ｒ１での１回のみ又はこれに準じる程度とし、また、Ｚ軸方向と一致する速軸（fast axis）方向の拡散率を低減させて光導波路Ｇ１の内部におけるレーザー光の反射回数を低
下させる。
【００１９】
図４は、合波器１の変形例を示す図である。
図４（ａ）に示すように、入射口Ｅ１〜Ｅ８は、出射面Ａに対して直交し且つ互いに直交する２つの入射面Ｅ、Ｅａにそれぞれ４つずつ設けられている。この合波器１は、このように複数の入射面Ｅ、Ｅａに設けられた入射口からの光も、同様に筐体内で一回約９０度反射される個別導波路を各々用い、単一の合流導波路を介して出射口Ａ１に導かれるように構成される。入射面Ｅａに設けられた入射口Ｅ５〜Ｅ８から入射したレーザー光は、Ｚ軸に沿って負の方向（−Ｚ方向）に進んだ後に約９０度反射され、Ｙ方向に導かれる。即ち、ＸＹ面内における入射口Ｅ１〜Ｅ４から入射した光を導く光導波路と同一の構成がＹＺ面内に設けられれば良い。このとき、入射口Ｅ１、Ｅ５から出射口Ａ１までの光導波路の位置（折曲部及び当該折曲部から出射口Ａ１まで）が重複しないように、全ての反射角は４５度より大きく設定される。
【００２０】
また、図４（ｂ）に示すように、一の入射面Ｅに設けられた入射口Ｅ１ｂ〜Ｅ４ｂは、一の直線上に配置されていなくても良い。この場合、入射口Ｅ１ｂ〜Ｅ４ｂから光導波路Ｇ１〜Ｇ４をＸ方向に進むレーザー光は、反射面Ｒ１〜Ｒ４でＹ方向だけでなくＺ方向成分を伴って反射されることで、出射口Ａ１に連通する単一の光導波路に略平行な光として導かれて合波され、出射口Ａ１から出射される。
【００２１】
図５及び図６は、合波器１の光導波路の構成の変形例を示す模式図である。
図５（ａ）に示すように、出射面Ａに対して直交し且つ互いに平行な２面を入射面Ｅ、Ｅｃとして入射口Ｅ１〜Ｅ４、Ｅ１ｃ〜Ｅ３ｃが設けられても良い。この場合、光導波路Ｇ１ｃ〜Ｇ３ｃは、ＸＹ面内で光導波路Ｇ１２に対して光導波路Ｇ２〜Ｇ４と対称に設けられ、光導波路Ｇｓｃを介して単一の出射口Ａ１に連通する。即ち、全ての光導波路Ｇ１〜Ｇ４、Ｇ１ｃ〜Ｇ３ｃ、Ｇｓｃは、単一のＸＹ面内に形成され得る。
【００２２】
ここでは、入射口Ｅ１ｃは、入射口Ｅ２と対向する位置に設けられ、光導波路Ｇ１１ｃを通ったレーザー光は、折曲部Ｇ１ｒｃにおいて反射面Ｒ１ｃで光導波路Ｇ１２ｃの延在方向（例えば、反射角４５．５度）に反射されて光導波路Ｇｓｃに導かれる。入射口Ｅ２ｃは、入射口Ｅ３と対向する位置に設けられ、光導波路Ｇ２１ｃを通ったレーザー光は、折曲部Ｇ２ｒｃにおいて反射面Ｒ２ｃで光導波路Ｇ２２ｃの延在方向（例えば、反射角４６．０度）に反射されて光導波路Ｇｓｃに導かれる。入射口Ｅ３ｃは、入射口Ｅ４と対向する位置に設けられ、光導波路Ｇ３１ｃを通ったレーザー光は、折曲部Ｇ３ｒｃにおいて反射面Ｒ３ｃで光導波路Ｇ３２ｃの延在方向（例えば、反射角４６．５度）に反射されて光導波路Ｇｓｃに導かれる。
【００２３】
なお、ここでは、入射面Ｅの入射口Ｅ１から入射した光が反射面Ｒ１において反射角４５．０度で反射され、入射面Ｅｃには、反射角４５．０度で反射されるレーザー光の入射口が設けられないこととしたが、筐体のどちら側にも反射角４５．０度で反射されるレーザー光の入射口を設けず、両側から、例えば、最小反射角４５．２５度で同数の入射口を入射させるように形成されても良い。
【００２４】
また、図５（ｂ）に示すように、反射角が４５度未満に形成されるものが含まれても良い。
ここでは、入射口Ｅ４から光導波路Ｇ４ｄ（Ｇ４１ｄ）に入射したレーザー光は、折曲部Ｇ４ｒｄにおいて反射面Ｒ４ｄにより反射角４５．０度で光導波路Ｇ４２ｄの延在方向に反射されて、光導波路Ｇｓｄに導かれる。入射口Ｅ３から光導波路Ｇ３ｄ（Ｇ３１ｄ）に入射したレーザー光は、光導波路Ｇ４１ｄより長い距離進んだ後、折曲部Ｇ３ｒｄにおいて反射面Ｒ３ｄにより反射面Ｒ４ｄより小さい反射角、例えば、４４．５度で光導波路Ｇ３２ｄの延在方向に反射され、光導波路Ｇｓｄに導かれる。入射口Ｅ２から光導波路Ｇ２ｄ（Ｇ２１ｄ）に入射したレーザー光は、光導波路Ｇ３１ｄより長い距離進んだ後、折曲部Ｇ２ｒｄにおいて反射面Ｒ２ｄにより反射面Ｒ３ｄより小さい反射角、例えば、４４．０度で光導波路Ｇ２２ｄの延在方向に反射され、光導波路Ｇｓｄに導かれる。また、入射口Ｅ１から光導波路Ｇ１ｄ（Ｇ１１ｄ）に入射したレーザー光は、光導波路Ｇ２１ｄより長い距離進んだ後、折曲部Ｇ１ｒｄにおいて反射面Ｒ１ｄにより反射面Ｒ２ｄよりも小さい反射角、例えば、４３．５度で光導波路Ｇ１２ｄの延在方向に反射され、光導波路Ｇｓｄに導かれる。各波長のレーザー光は、光導波路Ｇｓｄで合波されて出射口Ａ１から出射される。
【００２５】
また、図６に示すように、図２に示した実施形態の合波器１における光導波路Ｇｓの代わりに、途中に折曲部Ｇｓｒｅを有する光導波路Ｇｓｅが設けられることで、合波器１ｅは、レーザー光の入射面Ｅと平行な出射面Ａｅに設けられた出射口Ａ１ｅからレーザー光の入射方向と同一方向にレーザー光が出射される構成とされても良い。
【００２６】
以上のように、本実施形態の合波器１は、４つの波長のＬＤからの光を各々入射させる入射口Ｅ１〜Ｅ４と、４つの入射口Ｅ１〜Ｅ４から入射された光を出射させる単一の出射口Ａ１と、入射された光を各々個別に導く４つの光導波路Ｇ１〜Ｇ４と、光導波路Ｇ１〜Ｇ４に接続されてこれら光導波路Ｇ１〜Ｇ４で導かれた光を出射口Ａ１に導く光導波路Ｇｓと、を備え、４つの光導波路Ｇ１〜Ｇ４は、それぞれ、入射された光を反射面Ｒ１〜Ｒ４で反射する折曲部Ｇ１ｒ〜Ｇ４ｒを有する折線状に設けられ、光導波路Ｇｓは、折線状又は直線状に設けられている。また、光導波路Ｇ１〜Ｇ４のそれぞれにおいて最も出射口Ａ１に近い反射面Ｒ１〜Ｒ４から出射口Ａ１までの光導波路Ｇ１２〜Ｇ４２（下流導波路）が光導波路Ｇｓの延在方向に対して所定の角度範囲内で当該光導波路Ｇｓに接続されることで、各光導波路Ｇ１〜Ｇ４に入射された４つの光が光導波路Ｇｓで合波されている。
このように、各々別個の光導波路Ｇ１〜Ｇ４で互いに平行に近い角度で各波長の光を光導波路Ｇｓで合流させて、出射口Ａ１に光を導くことで、所望の波長の光のみを反射させるダイクロイックフィルタを用いる必要がなく、合波に係る構成が容易になり、また、小型化し易くなる。また、ダイクロイックフィルタでの吸収散乱を考慮する必要がなくなるので、エネルギー損失（光強度の低下）が低減される。また、光導波路Ｇ１〜Ｇ４、Ｇｓは、折曲部Ｇ１ｒ〜Ｇ４ｒ以外では、直線状に形成されるので、曲線と比較して必要以上に反射の回数を増加させず、エネルギー損失を低減することが出来る。
【００２７】
また、４つの入射口Ｅ１〜Ｅ４は、出射口Ａ１が設けられた出射面Ａと直交する方向について異なる位置に設けられている。
入射口Ｅ１〜Ｅ４から入射させるレーザー光を出射するレーザー光源（レーザーダイオード）は、出射方向に対して垂直な面内でも場所を必要とするので、複数のレーザー光源が配列される方向に入射光を折り曲げてその先の出射面Ａに出射口Ａ１を設けることで、レーザー光源の配列に必要な長さを有効に生かして相対的な角度差の小さい略平行な複数の光導波路Ｇ１２〜Ｇ４２を出射口Ａ１に繋げることが出来る。
【００２８】
また、折曲部Ｇ１ｒ〜Ｇ４ｒ及び反射面Ｒ１〜Ｒ４は、４つの光導波路Ｇ１〜Ｇ４の各々について一つずつ設けられ、光導波路Ｇｓは直線状に設けられているので、最小限の反射回数でエネルギー損失を抑え、且つ容易に効率良く合波器１を形成することが出来る。
【００２９】
また、折曲部Ｇ１ｒ〜Ｇ４ｒの反射面Ｒ１〜Ｒ４は、当該反射面Ｒ１〜Ｒ４よりも出射口Ａ１側における光導波路Ｇ１２〜Ｇ４２の折曲部Ｇ１ｒ〜Ｇ４ｒからの延在方向に直交する面内における少なくとも所定の一軸方向、ここでは、入射光の遅軸方向について、反射面Ｒ１〜Ｒ４に入射した光の拡散を抑制するように反射させる形状を有する。従って、合波器１は、発散の少ない複数波長のレーザー光を合波して精度良く出力することが出来る。また、光導波路Ｇ１２〜Ｇ４２内での反射回数を低減させるので、よりエネルギー損失を低減させることが出来る。また、内部でレーザー光を収束させるので、相対的に入射光の軸合わせが従来よりも容易になる。
【００３０】
また、折曲部Ｇ１ｒ〜Ｇ４ｒの反射面Ｒ１〜Ｒ４は、当該反射面Ｒ１〜Ｒ４よりも出射口Ａ１側における光導波路Ｇ１２〜Ｇ４２の折曲部Ｇ１ｒ〜Ｇ４ｒからの延在方向及び所定の一軸方向（遅軸方向）を含む面内において曲率を有する凹面をなす。従って、特に、半導体製造プロセスを用いて、容易且つ高精度に遅軸方向に略平行な光を出射口Ａ１から出力させることが出来る合波器１を得ることが出来る。
【００３１】
また、折曲部Ｇ１ｒ〜Ｇ４ｒの反射面Ｒ１〜Ｒ４は、少なくとも所定の一軸方向（遅軸方向）について、予め定められた発散角で反射面Ｒ１〜Ｒ４に入射した光を当該反射面Ｒ１〜Ｒ４よりも出射口Ａ１側における光導波路Ｇ１２〜Ｇ４２の折曲部Ｇ１ｒ〜Ｇ４ｒからの延在方向に沿った方向に反射する。これにより、光導波路Ｇ１２〜Ｇ４２内を導かれるレーザー光の遅軸方向についての反射を抑えることが出来る。従って、容易な構成で入射光のエネルギー損失を最低レベルに抑えながら合波して出射させることが出来、必要な出力精度などに応じて結合レンズやコリメートレンズなどを省略することが可能になる。よって、複数波長の光を合波して出力する構成のサイズやコストを更に低減させることが出来る。
【００３２】
また、折曲部Ｇ１ｒ〜Ｇ４ｒの反射面Ｒ１〜Ｒ４には、入射した光を反射させる鏡面部材が設けられている。これにより、入射角を制限しなくてもクラッドなどを透過することなく確実に入射光を反射させて出射口Ａ１の方向へ導くことが出来る。
【００３３】
また、光導波路Ｇ１〜Ｇ４のそれぞれにおいて入射口Ｅ１〜Ｅ４から当該入射口Ｅ１〜Ｅ４に最も近い側の反射面Ｒ１〜Ｒ４までの光導波路Ｇ１１〜Ｇ４１（上流導波路）は、所定の光導波路（例えば、Ｇ１１）に対して各々平行又は垂直に設けられている。これにより、当該入射口Ｅ１〜Ｅ４に対してレーザー光を入射させるレーザー光源を合波器１に対して容易且つ精密に配置しやすくなる。
【００３４】
また、４つの光導波路Ｇ１〜Ｇ４及び光導波路Ｇｓは、単一平面上に設けられている。これにより、光導波路Ｇ１〜Ｇ４、Ｇｓの形成及び反射面Ｒ１〜Ｒ４の形成が一の層にまとめて可能となるので、半導体製造プロセスを用いて、より容易且つ正確にこれらを配置することが出来る。また、レーザー光源との相対位置合わせが高さ方向について一様にすることが出来るので、より容易になる。
【００３５】
また、反射面Ｒ１〜Ｒ４は、４つの光導波路Ｇ１〜Ｇ４の各々について一つずつ設けられ、光導波路Ｇｓは、直線状に設けられ、光導波路Ｇ１〜Ｇ４のそれぞれにおいて反射面Ｒ１〜Ｒ４で反射された光を光導波路Ｇｓへ導く光導波路Ｇ１２〜Ｇ４２は、各々光導波路Ｇｓの延在方向に対して所定の角度差ずつ異なる角度で光導波路Ｇｓに接続されている。このように均等にバランス良く光導波路Ｇ１〜Ｇ４が光導波路Ｇｓに対して配置されるので、各波長の光を適切な強度及び拡散の度合で合波して出力させることが出来る。
【００３６】
なお、本発明は、上記実施の形態に限られるものではなく、様々な変更が可能である。
例えば、上記実施の形態では、直方体形状の筐体に入射口、出射口及び光導波路が設けられた例を示したが、直方体形状に限られるものではなく、合波器の配置スペース及び所望の出射方向に応じて他の形状であっても良い。即ち、出射面Ａと入射面Ｅとは、必ずしも直交していなくても良い。
【００３７】
また、上記実施の形態では、反射面Ｒ１〜Ｒ４に鏡面部材を設けることで入射光を全反射させたが、入射口から入射する光の反射面Ｒ１〜Ｒ４への入射角が十分に大きく、光導波路Ｇ１〜Ｇ４のコアとクラッドとの間の屈折率の比により確実に全反射可能であれば、鏡面部材を別途設けなくても良い。
【００３８】
また、上記実施の形態では、反射面Ｒ１〜Ｒ４により光導波路Ｇ１〜Ｇ４において一回のみ反射させることとしたが、光導波路中に２つ以上の反射面が設けられることを妨げない。但し、通常、反射面の数が少ない方が容易に精度良く光導波路を形成しやすい。
【００３９】
また、この場合、全ての反射面が凹面形状である必要はない。例えば、略平行光とされた光を再度反射する反射面は、単純に平面で良い。
【００４０】
また、上記実施の形態では、光導波路Ｇ１〜Ｇ４は、出射口Ａ１から等距離の位置で光導波路Ｇｓに合流するように形成されたが、これに限られない。光導波路Ｇ１〜Ｇ４がＹ方向について異なる位置で順次光導波路Ｇｓに接続されても良い。
【００４１】
また、上記実施の形態では、反射面Ｒ１〜Ｒ４をＸＹ平面内で凹面形状となるように形成したが、入射光の角度が十分に平行になる場合などでは、平面であっても良いし、平面状の反射面を複数（例えば３枚）、凹部を形成するように配置しても良い。また、凹面形状による集光方向は、合波器１とレーザー光源との位置関係によるので、レーザー光源を９０度回転させて配置させる場合には、速軸方向に集光されることになる。但し、表面実装されるレーザーダイオードなどが通常配置される方向に対応して当該通常配置時に遅軸方向に集光されるように合波器１が形成されて良い。また、集光方向を示す目盛や標識などを入射口に設けても良い。
【００４２】
また、上記実施の形態では、入射口の数が４、７、８の場合を例に挙げて説明したが、これらに限られるものではない。また、本発明の光合波装置に係る複数の入射口に入射される光の波長の順番は、何れの場合であっても特に限定されない。但し、反射部材をより適切に異ならせる場合などで、特定の入射口に対して特定の波長の光を入力させることに限定しても良い。
【００４３】
また、上記実施の形態では、光導波路Ｇ１２〜Ｇ４２が０．５度間隔で配置されたが、必ずしも均等な間隔で配置される必要はなく、また、これに伴って、全ての光導波路Ｇ１〜Ｇ４がＹ方向について同一の位置で光導波路Ｇｓに合流しなくても良い。
【００４４】
また、光導波路の断面（入射光の進行方向に垂直な面）のサイズやその縦横比は、適宜設定され得る。例えば、入射されるレーザー光の光軸が定められている場合には、速軸方向のサイズと遅軸方向のサイズとを所定の比で異ならせても良い。
その他、上記実施の形態で示した構成や構造などの具体的な細部は、本発明の趣旨を逸脱しない範囲において適宜変更可能である。
【符号の説明】
【００４５】
１ 合波器
Ａ、Ａｅ 出射面
Ａ１、Ａ１ｅ 出射口
Ｅ、Ｅａ、Ｅｃ 入射面
Ｅ１〜Ｅ１１、Ｅ１ｂ〜Ｅ４ｂ、Ｅ１ｃ〜Ｅ３ｃ 入射口
Ｇ１〜Ｇ４、Ｇ１ｃ〜Ｇ３ｃ 光導波路
Ｇ１１〜Ｇ４１、Ｇ１１ｃ〜Ｇ３１ｃ、Ｇ１２〜Ｇ４２、Ｇ１２ｃ〜Ｇ３２ｃ 光導波路
Ｇ１ｒ〜Ｇ４ｒ、Ｇ１ｒｃ〜Ｇ３ｒｃ、Ｇ１ｒｄ〜Ｇ４ｒｄ、Ｇｓｒｅ 折曲部
Ｇｓ、Ｇｓｃ、Ｇｓｄ、Ｇｓｅ 光導波路
Ｒ１〜Ｒ４、Ｒ１ｃ〜Ｒ３ｃ、Ｒ１ｄ〜Ｒ４ｄ 反射面 
【図１】
2020154335.tif 000003
【図２】
2020154335.tif 000004
【図３】
2020154335.tif 000005
【図４】
2020154335.tif 000006
【図５】
2020154335.tif 000007
【図６】
2020154335.tif 000008
【手続補正書】
【提出日】令和2年7月21日(2020.7.21)
【手続補正１】
【補正対象書類名】明細書
【補正対象項目名】０００７
【補正方法】変更
【補正の内容】
【０００７】
上記目的を達成するため、本発明の光合波装置は、
３以上の所定数の波長の光を各々入射させる入射口と、
前記所定数の入射口から入射された光を出射させる単一の出射口と、
前記入射された光を前記出射口に導くＰＬＣ（Planar Lightwave Circuit）の光導波路と、
を備え、
前記光導波路は、一端が前記入射口であり、前記入射された光を各々個別に導く前記所定数の個別導波路と、当該個別導波路の前記一端とは反対の他端の各々と接続されて前記個別導波路によりそれぞれ導かれた光を前記出射口に導く単一の合流導波路とからなり、
前記所定数の個別導波路は、それぞれ、入射された光を反射する折曲部を有する折線状に設けられ、
前記合流導波路は、少なくとも最も前記出射口側の合波位置と出射口との間の所定位置よりも前記出射口から離れた側では直線状の、前記折線状又は直線状に設けられ、当該合流導波路と前記個別導波路の各々との接続部分において前記所定数の個別導波路が前記合流導波路の延在方向から所定の角度範囲内でそれぞれ接続されることで、前記所定数の入射口から入射された光を合波する
ことを特徴とする光合波装置である。
【手続補正２】
【補正対象書類名】特許請求の範囲
【補正対象項目名】全文
【補正方法】変更
【補正の内容】
【特許請求の範囲】
【請求項１】
３以上の所定数の波長の光を各々入射させる入射口と、
前記所定数の入射口から入射された光を出射させる単一の出射口と、
前記入射された光を前記出射口に導くＰＬＣ（Planar Lightwave Circuit）の光導波路と、
を備え、
前記光導波路は、一端が前記入射口であり、前記入射された光を各々個別に導く前記所定数の個別導波路と、当該個別導波路の前記一端とは反対の他端の各々と接続されて前記個別導波路によりそれぞれ導かれた光を前記出射口に導く単一の合流導波路とからなり、
前記所定数の個別導波路は、それぞれ、入射された光を反射する折曲部を有する折線状に設けられ、
前記合流導波路は、少なくとも最も前記出射口側の合波位置と出射口との間の所定位置よりも前記出射口から離れた側では直線状の、前記折線状又は直線状に設けられ、当該合流導波路と前記個別導波路の各々との接続部分において前記所定数の個別導波路が前記合流導波路の延在方向から所定の角度範囲内でそれぞれ接続されることで、前記所定数の入射口から入射された光を合波する
ことを特徴とする光合波装置。
【請求項２】
前記所定数の入射口は、前記出射口が設けられた出射面と直交する方向について少なくとも２箇所の異なる位置に設けられていることを特徴とする請求項１記載の光合波装置。
【請求項３】
前記折曲部は、前記所定数の個別導波路の各々について一つずつ設けられ、
前記合流導波路は、直線状に設けられている
ことを特徴とする請求項１又は２記載の光合波装置。
【請求項４】
前記折曲部のうち少なくとも一つの側面は、当該折曲部よりも前記出射口の側における前記光導波路の前記折曲部からの延在方向に直交する面内における少なくとも所定の一軸方向について、前記側面に入射した光の拡散を抑制するように反射する形状を有することを特徴とする請求項１〜３の何れか一項に記載の光合波装置。
【請求項５】
前記折曲部のうち少なくとも一つの側面は、当該折曲部よりも前記出射口の側における前記光導波路の前記折曲部からの延在方向及び少なくとも前記所定の一軸方向を含む面内において曲率を有する凹面をなすことを特徴とする請求項４記載の光合波装置。
【請求項６】
前記折曲部のうち少なくとも一つの側面は、少なくとも前記所定の一軸方向について、予め定められた発散角で前記側面に入射した光を前記折曲部よりも前記出射口の側における前記光導波路の前記折曲部からの延在方向に沿った方向に反射することを特徴とする請求項４又は５記載の光合波装置。
【請求項７】
前記折曲部の側面には、入射した光を反射させる鏡面部材が設けられていることを特徴とする請求項１〜６の何れか一項に記載の光合波装置。
【請求項８】
前記個別導波路のそれぞれにおいて前記入射口から当該入射口に最も近い側の前記折曲部までの上流導波路は、所定の前記上流導波路に対して各々平行又は垂直に設けられていることを特徴とする請求項１〜７の何れか一項に記載の光合波装置。
【請求項９】
前記光導波路は、単一平面上に設けられていることを特徴とする請求項１〜８の何れか一項に記載の光合波装置。
【請求項１０】
前記折曲部は、前記所定数の個別導波路の各々について一つずつ設けられ、
前記合流導波路は、直線状に設けられ、
前記所定数の個別導波路のそれぞれにおいて前記折曲部から前記接続部分までの下流導波路は、各々前記合流導波路の延在方向に対して所定の角度差ずつ異なる角度で当該合流導波路に接続されている
ことを特徴とする請求項９記載の光合波装置。